(57)【要約】【課題】ケミカルタンカーのカーゴタンクにおいて、荷揚げ後の洗浄工程の簡素化が図られることにより、作業員の安全性が向上するとともに、洗浄コストを大幅に削減することができる樹脂製袋状容器を提供する。【解決手段】ケミカルタンカーのカーゴタンク内部に設置され、液体状積載物をその内部に積載し、運搬することを目的とした樹脂製袋状容器であって、袋状容器は、液状積載物を積載する袋体と、カーゴタンクのマンホール・ハッチに固定可能な荷積み開口部と、カーゴポンプの吸込口と連結可能な荷揚げ開口部とを備え、樹脂製袋状容器は、液体状積載物の荷揚げ毎に、収縮され又は折り畳まれ、カーゴタンク内部から取り出される。【選択図】図１
2020059411.tif 000002
【特許請求の範囲】
【請求項１】
ケミカルタンカーのカーゴタンク内部に設置され、液体状積載物をその内部に積載し、運搬することを目的とした樹脂製袋状容器であって、
前記袋状容器は、液状積載物を積載する袋体と、前記カーゴタンクのマンホール・ハッチに固定可能な荷積み開口部と、カーゴポンプの吸込口と連結可能な荷揚げ開口部とを備え、
前記樹脂製袋状容器は、液体状積載物の荷揚げ毎に、収縮され又は折り畳まれ、前記カーゴタンク内部から取り出されることを特徴とする樹脂製袋状容器。
【請求項２】
前記袋体は、断面形状が前記マンホール・ハッチの開口部よりも小さく折り畳まれていることを特徴とする請求項１に記載の樹脂製袋状容器。
【請求項３】
前記吸込口及び前記荷揚げ開口部は、差し込み式又はネジ式に連結されることを特徴とする請求項１又は２に記載の樹脂製袋状容器。
【請求項４】
前記樹脂製袋状容器は、可燃性素材からなることを特徴とする請求項１〜３のいずれかに記載の樹脂製袋状容器。
【請求項５】
請求項１〜４のいずれかに記載の樹脂製袋状容器の使用方法であって、
前記樹脂製袋状容器の使用方法は、
前記液体状積載物を前記樹脂製袋状容器内に荷積みする前に、前記カーゴタンク内に前記樹脂製袋状容器を設置する工程と、
前記液体状積載物を前記樹脂製袋状容器内に荷揚げした後に、前記カーゴタンク内から前記樹脂製袋状容器を取り外す工程とを備え、
前記樹脂製袋状容器を設置する工程は、
前記荷積み開口部を前記マンホール・ハッチに固定しつつ、前記荷揚げ開口部を先頭にして前記樹脂製袋状容器を前記カーゴタンク内に挿入し、
前記荷揚げ開口部を前記カーゴタンクの前記吸込口に連結し、
前記袋体を不活性ガス又は窒素ガスにより前記カーゴタンクの内壁に接するように拡張し、
前記樹脂製袋状容器を取り外す工程は、
前記カーゴタンクの内壁と前記袋体との間に空気を吹き込み、前記袋体を前記カーゴタンク内壁から剥し、
前記荷揚げ開口部を前記カーゴポンプの前記吸込口から取り外し、
前記袋体を、断面形状を前記マンホール・ハッチの開口部よりも小さく折り畳み又は押し潰し、
前記マンホール・ハッチの開口部から前記樹脂製袋状容器を取り出すことを特徴とする樹脂製袋状容器の使用方法。
【請求項６】
前記樹脂製袋状容器を取り外す工程は、前記液体状積載物の荷揚げ毎に行われることを特徴とする請求項５に記載の樹脂製袋状容器の使用方法。
【発明の詳細な説明】
【技術分野】
【０００１】
本発明は、ケミカルタンカーの液状積載物を積載するカーゴタンク内部に設置する樹脂製の袋状容器に関するものである。
【背景技術】
【０００２】
ケミカルタンカーは、硫酸、燐酸、苛性ソーダ等の化学薬品や、ベンゼン、トルエン、アルコール類等の石油製品、白油、食油等の食品原料などを主に運搬するタンカーである。多くのケミカルタンカーは、多種類の液状積載物を混ざり合うことなく一度に運搬することができるように、それぞれに独立したカーゴポンプ及びパイプラインを備えた複数のカーゴタンクを設けている。ところが、液状積載物の中には、硫酸、塩酸や苛性ソーダ等のような、カーゴタンク及びパイプラインを腐食させる腐食性物質が含まれているため、ケミカルタンカーのカーゴタンク及びパイプラインは、ステンレス等のような腐食に強い素材を用いたり、内部に特別なコーティングを施すことにより、腐食性物質に対する耐性を強化している。
【０００３】
また、ケミカルタンカーでは、液状積載物の荷揚げ後、異なる液状積載物に積み替える場合や、液状積載物に高品質・高純度が要求される場合には、品質や純度の低下を防ぐために、カーゴタンク内の残留物を完全に除去する必要がある。従来のカーゴタンク内の洗浄方法としては、液状積載物の荷揚げ後の残液を清水により洗浄し、その後、作業員がタンク内に入り込み、液状積載物の残液や残滓を手作業で拭き取っていた。
【０００４】
しかしながら、ケミカルタンカーが取扱う液状積載物には、揮発して火災や爆発を引き起こすおそれのある化合物や、人体に対して有害な化合物も多く含まれるため、上記のような洗浄方法は、作業員にとって安全上問題を有するものであった。
【０００５】
このような問題に対しては、洗浄処理方式を複数用意し、これらの中から洗浄対象に応じて適切な方式を選択し、自動化、無人化、遠隔操作によって、この方式の洗浄処理を行う、ケミカルタンカーのタンクの洗浄方法が報告されている（例えば特許文献１参照）。また、硝酸、フッ酸、硫酸、有機酸、多価アルコール、粘性助剤、錯化合物、消泡剤を含有した構成をもつ酸洗浄剤及びタンク洗浄装置を使用して、無人化、自動化によるタンク洗浄を行う、ケミカルタンカーのステンレス製カーゴタンクの自動酸洗方法が報告されている（例えば特許文献２参照）。
【先行技術文献】
【特許文献】
【０００６】
【特許文献１】特開昭６２−１４９５９７号公報
【特許文献２】特開２０１２−４６８１７号公報
【発明の概要】
【発明が解決しようとする課題】
【０００７】
しかしながら、上記のような洗浄方法では、大量の洗浄廃液が生成されることとなるが、これらは一定の条件下で海洋投棄されるといった環境上非常に重大な問題を有していた。
【０００８】
そこで、本発明は、上記のような状況に鑑みてなされたもので、ケミカルタンカーのカーゴタンクにおいて、荷揚げ後の洗浄工程の簡素化が図られることにより、作業員の安全性が向上するとともに、洗浄コストを大幅に削減することができる樹脂製袋状容器を提供することを目的としている。
【課題を解決するための手段】
【０００９】
本発明者は、上記課題を解決するために、ケミカルタンカーのカーゴタンクにおいて、荷揚げ後の液状積載物の残液及びこの残液の除去について鋭意研究を行った結果、カーゴタンク内部に樹脂製の袋状容器を設置することにより、液状積載物をカーゴタンクの内壁に接触させることなく運搬することができ、これにより、荷揚げ後のカーゴタンク内の洗浄工程を簡素化することができることを見出し、本発明の樹脂製袋状容器を発明するに至った。
【００１０】
したがって、本発明の樹脂製袋状容器は、ケミカルタンカーのカーゴタンク内部に設置され、液体状積載物をその内部に積載し、運搬することを目的とした樹脂製袋状容器であって、前記袋状容器は、液状積載物を積載する袋体と、前記カーゴタンクのマンホール・ハッチに固定可能な荷積み開口部と、カーゴポンプの吸込口と連結可能な荷揚げ開口部とを備え、前記樹脂製袋状容器は、液体状積載物の荷揚げ毎に、収縮又は折り畳まれ、前記カーゴタンク内部から取り出されることを特徴としている。
また、本発明の樹脂製袋状容器においては、前記袋体は、断面形状が前記マンホール・ハッチの開口部よりも小さく折り畳まれていることが好ましい。
さらに、本発明の樹脂製袋状容器においては、前記吸込口及び前記荷揚げ開口部が、差し込み式又はネジ式に連結されることが好ましい。
また、本発明の樹脂製袋状容器においては、前記樹脂製袋状容器が、可燃性素材からなることが好ましい。
【００１１】
また、本発明の樹脂製袋状容器の使用方法は、
上記の本発明の樹脂製袋状容器の使用方法であって、
前記樹脂製袋状容器の使用方法は、
前記液体状積載物を前記樹脂製袋状容器内に荷積みする前に、前記カーゴタンク内に前記樹脂製袋状容器を設置する工程と、
前記液体状積載物を前記樹脂製袋状容器内に荷揚げした後に、前記カーゴタンク内から前記樹脂製袋状容器を取り外す工程とを備え、
前記樹脂製袋状容器を設置する工程は、
前記荷積み開口部を前記マンホール・ハッチに固定しつつ、前記荷揚げ開口部を先頭にして前記樹脂製袋状容器を前記カーゴタンク内に挿入し、
前記荷揚げ開口部を前記カーゴタンクの前記吸込口に連結し、
前記袋体を不活性ガス又は窒素ガスにより前記カーゴタンクの内壁に接するように拡張し、
前記樹脂製袋状容器を取り外す工程は、
前記カーゴタンクの内壁と前記袋体との間に空気を吹き込み、前記袋体を前記カーゴタンク内壁から剥し、
前記荷揚げ開口部を前記カーゴポンプの前記吸込口から取り外し、
前記袋体を、断面形状を前記マンホール・ハッチの開口部よりも小さく折り畳み又は押し潰し、
前記マンホール・ハッチの開口部から前記樹脂製袋状容器を取り出す
ことを特徴としている。
また、本発明の樹脂製袋状容器の使用方法においては、前記樹脂製袋状容器を取り外す工程は、前記液体状積載物の荷揚げ毎に行われることが好ましい。
【００１２】
このような構成の本発明の樹脂製袋状容器及びその使用方法によれば、ケミカルタンカーのカーゴタンク内部に設けられた樹脂製の袋状容器により、カーゴタンクの内壁に液状積載物が直接接触されないため、カーゴタンク内が液状積載物により汚れることがない。そのため、荷揚げ後のカーゴタンク内の洗浄作業において、液状積載物の残液の除去という作業が必要なくなる。すなわち、本発明の樹脂製袋状容器及びその使用方法によれば、ケミカルタンカーのカーゴタンクにおいて、荷揚げ後の洗浄工程の簡素化が図られる。これにより、有害な液状積載物残液との接触や液状積載物に起因する火災や爆発を防止することができ、作業員の安全性が向上される。また、液状積載物残液の除去作業により生成される洗浄廃液を無くすことができ、洗浄廃液の海洋投棄といった環境上非常に重大な問題を解消できる。さらに、荷揚げ後のカーゴタンク内の洗浄コストを大幅に削減することができるといった効果も奏する。
【発明の効果】
【００１３】
本発明の樹脂製袋状容器及びその使用方法によれば、ケミカルタンカーのカーゴタンクにおいて、荷揚げ後の洗浄工程の簡素化が図られることにより、作業員の安全性が向上するとともに、洗浄コストを大幅に削減することができる。
【図面の簡単な説明】
【００１４】
【図１】本発明の樹脂製袋状容器をカーゴタンク内部で使用する一実施形態を示す模式図である。
【図２】本発明の樹脂製袋状容器をカーゴタンク内部で使用する他の一実施形態を示す模式図である。
【図３】本発明の樹脂製袋状容器をカーゴタンク内部で使用する他の一実施形態を示す模式図である。
【発明を実施するための形態】
【００１５】
以下、本発明の実施形態に係る樹脂製袋状容器について図面を用いて説明する。なお、本発明は下記の実施形態に限定されるものではない。図１は、本発明の樹脂製袋状容器をカーゴタンク内部で使用する第１実施形態を示す模式図であり、図２は、本発明の樹脂製袋状容器をカーゴタンク内部で使用する第２実施形態を示す模式図であり、図３は、本発明の樹脂製袋状容器をカーゴタンク内部で使用する第３実施形態を示す模式図である。
【００１６】
ケミカルタンカーには、多種類の液状積載物を混ざり合うことなく一度に運搬することができるように、独立したカーゴポンプ及びパイプラインを備えた複数のカーゴタンクが設けられている。このカーゴタンクは、素材をステンレス等のような腐食に強いものとしたり、あるいは、内部に特別なコーティングを施したりすることにより、腐食性物質を積載することができるように構成されている。このように液状積載物に接触する内壁を強化したカーゴタンクは、様々な種類の液状積載物を運搬することを可能としているが、荷揚げ後には、液状積載物の残液が残ってしまうため、これを除去する作業が必要となっている。この液状積載物の残液が揮発して火災や爆発を引き起こすおそれのある化合物や、人体に対して有害な化合物の場合には、作業員に危険を及ぼす場合がある。そこで、荷揚げ後の洗浄工程を簡易化し得る本発明の樹脂製袋状容器を開発した。
【００１７】
カーゴタンク２は、ケミカルタンカーによって様々なサイズのものがあるが、５００〜１５００ｍ３程度の容積を有するものが一般的である。このようなカーゴタンク２には、図１〜３に示すように、液状積載物を荷積みするマンホール・ハッチ３と、液状積載物を荷揚げするカーゴポンプ４とが備えられている。マンホール・ハッチ３は、ケミカルタンカーの甲板上に配置され、液状積載物を荷積みする際に開けられる開閉自在な蓋部を備えた開口部である。カーゴポンプ４は、カーゴタンク２から液状積載物を荷揚げラインに送り出す装置である。カーゴポンプ４としては、図１に示したような、タンク上方の甲板上からタンク底面に向かって垂直方向に延在し、吸込口５がカーゴタンク２の底面近傍に配置されたディープウエルカーゴポンプや、図２及び３に示したような、カーゴタンク２の側面底部や底面に設けられた吸込口５から開閉弁等を備えた荷揚げラインを介してカーゴタンク２外に液状積載物を吸い出す外部設置ポンプなどが挙げられる。
【００１８】
１．樹脂製袋状容器
本発明の樹脂製袋状容器１は、図１〜３に示されているように、ケミカルタンカーのカーゴタンク２内部に設置されて使用されるものである。本発明の樹脂製袋状容器１は、液状積載物を積載する袋体６と、カーゴタンク２のマンホール・ハッチ３に固定可能な荷積み開口部７と、カーゴポンプ４の吸込口５と連結可能な荷揚げ開口部８とを備えている。
【００１９】
本発明の樹脂製袋状容器１は、設置するカーゴタンク２の形状を予め３Ｄスキャン等によって測定し、この測定結果及びカーゴタンク２内に設けられたカーゴポンプや配管等の設置位置の情報に基づいて、袋体６の形状を決定する。ここで、カーゴタンク２の形状は、現在、ケミカルタンカーによって、又は、個々のカーゴタンクによって、それぞれ異なっているが、今後、統一規格のカーゴタンクが設置されるようになれば、上記の形状測定を行う必要がなくなり、本発明の樹脂製袋状容器１の形状をその都度測定せずに、既製品とすることが可能となる。
【００２０】
このように決定された袋体６の形状において、カーゴタンク２のマンホール・ハッチ３に対向する位置に、荷積み開口部７が設けられる。荷積み開口部７は、カーゴタンク２内部に樹脂製袋状容器１を設置した際に、カーゴタンク２のマンホール・ハッチ３に固定することが可能な機構を備え、さらに、荷積みライン９に連結可能な構造を有する。上記のマンホール・ハッチ３に固定可能な機構としては、荷積み開口部７の配置を保持し得るものであれば特に限定されるものではないが、例えば一つ以上のフックを備えたものや、荷積み開口部７をマンホール・ハッチ３の外径よりも大きく、その機構がマンホール・ハッチ３内に入り込まない形状を有するもの等が挙げられる。また、荷積みライン９に連結可能な構造としては、荷積みの際に、液状積載物が樹脂製袋状容器１外に漏出しないものであればよく、それほど高い密閉性を必要とはしない。なお、荷積みライン９は、ケミカルタンカー内に液状積載物を荷積みするパイプラインである。
【００２１】
また、袋体６の形状において、カーゴポンプ４の吸込口５に対向する位置に、荷揚げ開口部８が設けられる。荷揚げ開口部８は、カーゴタンク２内部に樹脂製袋状容器１を設置した際に、カーゴポンプ４の吸込口５に連結可能な構造を有する。カーゴポンプ４の吸込口５に連結可能な構造としては、液状積載物が漏出しない程度に密閉的に、荷揚げ開口部８とカーゴポンプ４の吸込口５とを連結する必要がある。このような構造としては、例えば、差し込み式、ネジ式等の既存の構造を適用することができる。
【００２２】
袋体６は、様々な液状積載物に対する耐性、少なくとも液状積載物を透過させることがなく、液状積載物により変質することのない特性と、カーゴタンク内において設置及び拡張し得るような可撓性とを兼ね備えた素材で作製されたものである必要がある。また、袋体６は、拡張された際にカーゴタンク２の内部構造に対してよりフィットするように、適切な伸縮性を有することが好ましい。袋体６の厚さは、液状積載物を荷役・運搬し得る強度が保持できれば、特に限定されるものではなく、軽量化の観点から極力薄くすることが好ましい。袋体６の構成としては、単一の一層構成であってもよく、強度や液状積載物に対する耐性を強化するために、複数の層を積層した多層構成であってもよい。
【００２３】
本発明の樹脂製袋状容器１は、カーゴタンク２内部に設置する前には、荷揚げ開口部８を先頭にしてカーゴタンク２内に挿入し得るように、マンホール・ハッチ３の開口部を通過可能なサイズに、すなわち、袋体６の断面形状がマンホール・ハッチ３の開口部よりも小さく折り畳まれている。ここで、荷積み開口部７をマンホール・ハッチ３の外径よりも大きくした態様においては、荷積み開口部７を除いた荷揚げ開口部８及び袋体６がマンホール・ハッチ３の開口部を通過可能なサイズに折り畳まれている。この樹脂製袋状容器１の折り畳み方法は、特に限定されるものではないが、カーゴタンク２内部で樹脂製袋状容器１が容易に拡張し得る方法であることが好ましい。
【００２４】
本発明の樹脂製袋状容器１は、液状積載物の荷揚げ後に、液状積載物の残液ごとカーゴタンク２から取り出され、廃棄される。樹脂製袋状容器１における袋体６、荷積み開口部７及び荷揚げ開口部８が可燃性素材からなる場合には、焼却処分される。したがって、荷揚げ後のカーゴタンク内の洗浄作業において、液状積載物の残液の除去という作業が必要なくなる。その結果、以下の３つの効果が奏される。
（１）有害な液状積載物残液との接触や液状積載物に起因する火災や爆発を防止することができ、作業員の安全性が向上する。
（２）液状積載物残液の除去作業により生成される洗浄廃液を無くすことができ、洗浄廃液の海洋投棄といった環境上非常に重大な問題が解消される。
（３）荷揚げ後のカーゴタンク内の洗浄作業の所要時間及びコストが大幅に削減される。
【００２５】
２．樹脂製袋状容器の使用方法
（１）第１実施形態
タンク上方の甲板上からタンク底面に向かって垂直方向に延在し、吸込口５がカーゴタンク２の底面近傍に配置されたディープウエルカーゴポンプを用いたカーゴタンク２において、本発明の樹脂製袋状容器１を設置し、液状積載物を荷役する態様について説明する。
【００２６】
まず、図１（ａ）に示されているように、樹脂製袋状容器１の荷積み開口部７をマンホール・ハッチ３に固定しつつ、折り畳まれた樹脂製袋状容器１を、荷揚げ開口部８を先頭にしてマンホール・ハッチ３の開口部からカーゴタンク２内に挿入する。そして、装入された荷揚げ開口部８をカーゴポンプ４の吸込口５に連結する。この連結は、作業員が手作業で行ってもよいが、連結機構によっては、機械的に又はロボットを用いて行ってもよい。
【００２７】
次いで、樹脂製袋状容器１の荷積み開口部７に荷積みライン９を連結する。この荷積みライン９は、外部設置ポンプ等によりケミカルタンカー内に液状積載物を荷積みするパイプラインであるが、本実施態様においては、不活性ガス又は窒素ガスを送り込む機能も兼ね備えている。また、荷積みライン９の荷積み開口部７への連結は、不活性ガス又は窒素ガスにより樹脂製袋状容器１の袋体６を膨らませることが可能な程度の密閉性を有する必要がある。なお、本実施形態においては、荷積みライン９から樹脂製袋状容器１内に不活性ガス又は窒素ガスを送り込んでいるが、他の手段を用いて不活性ガス又は窒素ガスを送り込む態様とすることも可能である。
【００２８】
この機能により、荷積みライン９から樹脂製袋状容器１の袋体６内に、不活性ガス又は窒素ガスを送り込む。すると、袋体６は、図１（ｂ）に示されているように、カーゴポンプ４を避けつつ、カーゴタンク２の内壁に接するように拡張される。このようにして、本発明の樹脂製袋状容器１をカーゴタンク２内部に設置する。この実施形態においては、樹脂製袋状容器１の容積は、カーゴタンク２よりも小さくなる。
【００２９】
次に、この拡張された状態の樹脂製袋状容器１において、荷積みライン９から袋体６内に液状積載物を荷積みしていく。所定量の液状積載物を積載した後、図１（ｃ）に示されているように、荷積みライン９を取外し、マンホール・ハッチ３を閉じる。これにより、ケミカルタンカーのカーゴタンク２内への液状積載物の積載が完了し、この状態で運搬が行われる。
【００３０】
そして、目的地への運搬後、図１（ｄ）に示されているように、カーゴポンプ４により吸込口５から液状積載物を吸い上げ、荷揚げを行う。荷揚げ完了後、カーゴタンク２の内壁と袋体６との間に空気を吹き込み、袋体６をカーゴタンク２内壁から剥がす。なお、空気を吹き込む手段としては、特に限定されるものではなく、既存の手段を適用できる。次いで、荷揚げ開口部８をカーゴポンプ４の吸込口５から取り外す。この取外しは、作業員が手作業で行ってもよいが、連結機構によっては、機械的に又はロボットを用いて行ってもよい。そして、袋体６を、断面形状をマンホール・ハッチ３の開口部よりも小さく折り畳み又は押し潰した後、マンホール・ハッチ３の開口部から樹脂製袋状容器１を取り出す。取り出された樹脂製袋状容器１は廃棄されるが、袋体６、荷積み開口部７及び荷揚げ開口部８が可燃性素材からなる場合には、焼却処分することもできる。
【００３１】
（２）第２実施形態及び第３実施形態
第２実施形態は、図２に示されているように、カーゴタンク２の側面底部に設けられた吸込口５から開閉弁等を備えた荷揚げラインを介してカーゴタンク２外に液状積載物を吸い出す外部設置ポンプを用いたカーゴタンク２において、本発明の樹脂製袋状容器１を設置し、液状積載物を荷役する態様である。また、第３実施形態は、図３に示されているように、カーゴタンク２の底面に設けられた吸込口５から開閉弁等を備えた荷揚げラインを介してカーゴタンク２外に液状積載物を吸い出す外部設置ポンプを用いたカーゴタンク２において、本発明の樹脂製袋状容器１を設置し、液状積載物を荷役する態様である。
【００３２】
第２実施形態及び第３実施形態は、上記の第１実施形態とほぼ同様に液状積載物の荷役が行われるため、相違する事項についてのみ以下に説明する。なお、図２及び３における（ａ）〜（ｄ）の各工程及び符号については、図１における（ａ）〜（ｄ）の各工程及び符号に対応している。
【００３３】
第２実施形態及び第３実施形態においては、カーゴポンプ４のタイプが異なるため、不活性ガス又は窒素ガスによりカーゴタンク２内で樹脂製袋状容器１を拡張すると、袋体６は、図２（ｂ）及び図３（ｂ）に示されているように、カーゴタンク２の内壁に接するように、すなわち、カーゴタンク２とほぼ同じ容積を有するまで拡張される。したがって、第２実施形態及び第３実施形態のようなカーゴポンプ４を備えたカーゴタンク２においては、第１実施形態における本発明の樹脂製袋状容器１の設置よりもデッドスペースが少ないため、液状積載物の積載量が多く、しかも、カーゴタンク２の全側面で樹脂製袋状容器１が支持されるため、積載状態がより安定的であるという利点がある。
【００３４】
以上のように、本発明の樹脂製袋状容器１を用いることにより、液状積載物の荷役によっても、カーゴタンク２の内部を汚すことがないため、荷揚げ後のカーゴタンク内の洗浄作業において、液状積載物の残液の除去という作業が必要なくなる。その結果、上記の本発明の樹脂製袋状容器１の説明においても示したが、以下の３つの効果が奏される。
（１）有害な液状積載物残液との接触や液状積載物に起因する火災や爆発を防止することができ、作業員の安全性が向上する。
（２）液状積載物残液の除去作業により生成される洗浄廃液を無くすことができ、洗浄廃液の海洋投棄といった環境上非常に重大な問題が解消される。
（３）荷揚げ後のカーゴタンク内の洗浄作業の所要時間及びコストが大幅に削減される。
【００３５】
以上、本発明の実施形態について説明したが、本発明は、上述の実施形態に限定されるものではなく、本発明の目的を達成できる範囲での変形、改良等は本発明に含まれるものである。
【符号の説明】
【００３６】
１  樹脂製袋状容器
２  カーゴタンク
３  マンホール・ハッチ
４  カーゴポンプ
５  吸込口
６  袋体
７  荷積み開口部
８  荷揚げ開口部
９  荷積みライン
【図１】
2020059411.tif 000003
【図２】
2020059411.tif 000004
【図３】
2020059411.tif 000005